【事件の表示】
　特願２００１−　５２７７４「携帯電話の作動方法」拒絶査定不服審判事件〔平成１３年１０月２６日出願公開、特開２００１−２９８５０１〕について、次のとおり審決する。
【結　論】
　本件審判の請求は、成り立たない。
【理　由】
１．手続の経緯と本願発明
　本願は、平成１３年２月２７日（パリ条約による優先権主張　２０００年２月２９日　独国）の出願であって、平成２２年７月２３日付けの拒絶理由に対して、平成２３年１月２０日付けで手続補正がなされたが、平成２３年１０月３日付けで拒絶査定がなされ、これに対し、平成２４年２月６日に拒絶査定に対する審判請求がなされるとともに同日付けで手続補正がなされたものである。
　特許請求の範囲の請求項１に係る発明（以下、「本願発明」という。）は、平成２４年２月６日付け手続補正書により補正された明細書及び図面の記載からみて、その特許請求の範囲の請求項１に記載された以下のとおりのものと認める。
（本願発明）　
「アナログ音声データをディジタル・データに変換しそのまた逆を行うための少なくとも一つの存在する符号化および復号化アルゴリズムを含み、データ伝送ネットワークによって処理される携帯電話の作動方法において、
　前記携帯電話（１）と前記データ伝送ネットワーク（８）との間のデータ伝送リンクを確立するステップと、
　前記データ伝送ネットワーク（８）から少なくとも新しい一つ以上の符号化および復号化アルゴリズムを前記携帯電話によって受信するステップと、
　前記受信した新しい符号化および復号化アルゴリズムを前記携帯電話（１）の不揮発性メモリ（４、５）に記憶するステップと、
　前記携帯電話の前記不揮発性メモリ（４，５）で得られる前記符号化および復号化アルゴリズムを前記携帯電話の利用者に表示するステップと、
　前記得られる符号化および復号化アルゴリズムからの選択が前記利用者によって可能にするステップと、
　音声データの変換に使用されるように、前記使用者によって選択されたアルゴリズムに依存して前記得られる符号化および復号化アルゴリズム間の切換を行うステップと、
を備えていることを特徴とする方法。」
　
２．引用発明および周知技術
　（１）これに対して、原審の拒絶理由に引用された国際公開第９７／２９６０６号（以下、「引用例」という。日本語訳としては、特表２０００−５０７４０４号を参照した。）には、「ＴＥＬＥＰＨＯＮＥ　ＳＹＳＴＥＭ」（当審仮訳「電話システム」）として、図面とともに以下の事項が記載されている。
　
　イ．「　　　　　　　　　
TELEPHONE SYSTEM
　The present invention relates to telephone systems. It is of particular application to mobile telephone systems, but can also find application in other systems.
　The GSM (Global System for Mobile communications) cellular telephone system currently supports three speech coding algorithms, the 13 kbit/s full-rate codec (coder-decoder), the 13kbit/s enhanced full-rate codec and the 5.6 kbit/s half-rate codec. Control programs, based on these codec algorithms, are stored in read-only memory (ROM) within the telephone and the fixed part of the network, typically in a radio base station control system. It is envisaged that improved algorithms, providing more accurate or faster coding, will be developed in the future, but if the customer is to make use of such an algorithm he has to replace his telephone by one programmed with the new codec algorithm. Conflict can arise between the customer and the network operator over who should bear the cost of such replacement.
　Various proposals have been made for upgrading or modifying systems for telecommunications terminals in which an upgrade program is transmitted over the network from a network based control facility, allowing the upgrading of suitably programmable telephones. (See for example DE3721360 (Deutsche Bundesposte) and EP0459344 (Alcatel). However the upgrading program takes time to transmit, and mobile telecommunications terminals have finite memory capacity. 」（第１頁第１行目〜同第２２行目）
（当審仮訳）
　「　　　　　　　　　　　
電話システム
　本発明は電話システムに関し、特に移動電話システムに適用でき、また、別のシステムにも適用できる電話システムに関する。
　ＧＳＭ（移動通信用グローバルシステム）セルラー電話システムは、一般に３つの音声コーディングアルゴリズム、すなわち、１３ｋビット／秒の“フルレート”コーデック（コーダ・デコーダ）、１３ｋビット／秒の“増強されたフルレート”コーデック、および５．６ｋビット／秒の“１／２レート”コーデックを支持している。これらのコーデックアルゴリズムに基づいた制御プログラムは、電話および一般には無線ベースステーション制御システム等のネットワークの固定部分内の読取り専用メモリ（ＲＯＭ）に記憶される。より正確な、あるいはより高速のコーディングを提供する改良されたアルゴリズムが将来開発されるであろうが、顧客がそのようなアルゴリズムを利用する場合、自分の電話を新しいコーデックアルゴリズムでプログラムされたものと換えなければならない。そのような置換のコストを誰が負うかについて顧客とネットワークオペレータとの間で衝突（コンフリクト）が生じ得る。
　ネットワークを通じてアップグレードプログラムがネットワークベース制御機構から送信され、それによってプログラム可能な電話を適切にアップグレードする遠隔通信端末用のアップグレードあるいは変更用システムに対して様々な提案が行われてきた（例えばDE3721360(Deutsche Bundesposte) およびEP0459344（Alcatel）参照）。しかしながら、アップグレードプログラムは送信に時間がかかり、移動通信端末のメモリ容量は有限である。」
　
　ロ．「　In the embodiment illustrated in Figures 1 to 4 the base station control system 10 has a store of suitable codec programs available to it, which can be downloaded to the mobile telephone 1 as required for individual telecommunications transactions. The mobile telephone 1 has a memory in which a default program is stored in read-only memory, and one or more suitable alternative programs can be stored in electronically erasable programmable read only memory (EEPROM) such that further programs can be stored if required to carry out a different transaction. These will typically be codec programs requiring a lower bit-rate or providing improved error correction capabilities, which may require more individual data memory within the mobile telephone than the default program, or may simply be faster or more efficient, but require the same amount of memory.
　Referring firstly to Figure 1, a mobile telephone 1 comprises a user interface (mouthpiece and earpiece) 2. It also comprises transceiver circuitry 20, a channel quality monitor 4, signalling unit 5, a monitoring and control means 6, a memory 7, and speech and channel codecs 3, 21 ; which may all conveniently be embodied in a microprocessor, and whose functions will now be described. The speech codec 3 operates according to program data stored in the memory 7. The program data includes data based on signal coding and decoding algorithms, which it uses to digitally encode analogue signals received from the user interface 2. These encoded signals are then passed to a channel codec 21 which applies error correction, control data and synchronisation data to the signal before passing the resulting signal to a transceiver 20 which modulates the resulting signal onto a radio frequency carrier for transmission to a base station 12, and from there to the base station control system 10 and thus the rest of the network 11. The operation of the transceiver 20, channel codec 21 and speech codec 3 also operate in the converse sense, respectively to extract the digital modulation from an incoming RF carrier, remove control data, and apply error correction processes according to the received data, and then to decode the digital signals into analogue form for the user interface 2.」（第５頁第１行目〜同第３０行目）
（当審仮訳）
「　図１乃至図４に示された実施形態において、ベースステーション制御システム１０は、それに使用できる適切なコーデックプログラムのメモリを有しており、それは個々の遠隔通信トランザクションに要求された際に移動電話１にダウンロードできる。移動電話１は、デフォルトプログラムが読取り専用メモリに記憶されるメモリを有しており、異なるトランザクションを実行することが必要な場合に別のプログラムが記憶できるように１以上の適切な代りのプログラムを電子消去可能なプログラム可能な読取り専用メモリ（ＥＥＰＲＯＭ）に記憶される。これらは、一般的に低いビットレートを要求する、あるいは改良されたエラー補正能力を提供するコーデックプログラムであり、それはデフォルトプログラムよりも移動電話内でより多くの個々のデータメモリを要求するか、あるいは単により迅速あるいは有効であり、同じ量のメモリを要求する。
　最初に図１を参照すると、移動電話１はユーザインターフェース（マウスピースおよびイヤーピース）２を具備している。それはまた、トランシーバ回路２０、チャンネル品質モニタ４、シグナリング装置５、監視および制御手段６、メモリ７ならびに音声およびチャンネルコーデック３、２１１を具備しており、それらは全てマイクロプロセッサにおいて好都合に構成されてもよく、その機能については以下説明される。音声コーデック３は、メモリ７において記憶されたプログラムデータに従って動作する。プログラムデータは、信号コーディングおよびデコーディングアルゴリズムに基づいたデータを含んでおり、それはユーザインターフェース２から受信されたアナログ信号をデジタル的にコード化するために使用される。その後、これらのコード化された信号はチャンネルコーデック２１に渡され、チャンネルコーデック２１は、結果的な信号をベースステーション１２に送信し、そこからベースステーション制御システム１０へ、その後ネットワーク１１の残りへ送信するために無線周波数キャリアに変調するトランシーバ２０に結果的な信号を与える前にエラー補正、制御データおよび同期データを与える。トランシーバ２０、チャンネルコーデック２１および音声コーデック３の動作はまた、入来ＲＦキャリアからデジタル変調を抽出し、制御データを除去し、受信されたデータに従ってエラー補正プロセスを適用し、デジタル信号をユーザインターフェース２のためのアナログ形態にデコードするために、逆にも動作する。」
　
　ハ．「　The mobile radio network shown in Figure 1, illustratively a cellular telephone network, also comprises a radio base station control system 10 in radio communication with the mobile telephone 1 , and connected to a mobile telephone network generally represented as 11.
　Figure 3 shows the various functional elements of the base station control system 10 in more detail. The base station control system 10 comprises a transceiver 13 for encoding and decoding signals, received from the network 11, for transmission as radio signals from an antenna at the base station site itself (12), and vice versa. The transceiver 13 can operate according to any one of two or more different codec programs, selected under the control of a control unit 14. The control unit 14 controls a signal generator 17 which generates signals for transmission by the antenna 12, a response detector 15 which is responsive to signals received by the antenna, and a quality measurement unit 16 for exchanging test data, by way of the antenna 12, with a co-operating mobile unit 1 to establish the signal quality of the link between the two. The control unit 14 also controls a data transmission means 18 which is configured to retrieve program data from a memory 19, and transmit it to the mobile unit by way of the antenna 12.
　・・・（中略）・・・
　The operation of this system will now be described, with reference to the flow chart of Figure 4. In Figure 4 the steps performed by the network are labelled 101 to 112, the steps performed by the mobile telephone are labelled 201 to 212, and radio transmissions between the mobile telephone and the base station control system or vice versa are labelled 301 to 312.
　When initial contact is established between the network and the mobile telephone, an exchange of control signals 301 is carried out between the network and the mobile telephone (steps 101, 201 respectively). This includes a measurement of channel quality on the supervisory (signalling) channel. In practice this generally gives a good indication of the likely signal quality on the speech channels. An initial set-up program 201 is carried out in the mobile telephone using the boot up program BU in non volatile memory 9 The network element (in this example the base station control system 10) responsible for co-operating with the mobile telephone (1) selects a codec suitable for the prevailing conditions (connection-type, channel quality, etc) and transmits (109) a signal (309) to the mobile telephone to enquire if the selected program is already loaded in the memory 7 of the mobile telephone. At the mobile telephone 1, this code is extracted by the channel codec 21. An identity code for each individual codec is stored as a flag in stores 8ai, 8bi etc. The monitoring and control unit (6) causes the memory (7) to be searched to identify if any of the program code flags 8ai, 8bi etc, corresponds to the proposed code, and causes the signalling unit 5 to generate (step 210) a response (310) according to the presence or absence of the code in the memory 7. If the response is affirmative (Y) the mobile telephone and base station control system commence operation using the selected program.
　If the response is negative (N), the base station control system next generates (105) an enquiry (305) as to what memory capacity is available in the mobile unit (1), and the signalling unit 5 in the mobile telephone generates (step 206) a suitable response 306. Based on this information, the base station 10 then determines whether this capacity is sufficient for the selected program (step 108), and, if it is, the network element 10 transmits the required codec program (step 111) as a signal 311 which is received (211) by the mobile telephone 1.」（第６頁第２９行目〜第８頁第１７行目）
（当審仮訳）　
「　説明のためにセルラー電話ネットワークである図１に示された移動無線ネットワークはまた移動電話１と通信している無線ベースステーション制御システム１０を具備し、それは１１で示されている移動電話ネットワークに接続されている。
　図３は、ベースステーション制御システム１０の種々の機能素子をより詳細に示している。ベースステーション制御システム１０は、ネットワーク１１から受信された信号をコード化およびデコード化し、ベースステーションサイト（１２）でアンテナから無線信号として送信するか、あるいはその逆を行うためにトランシーバ１３を備えている。トランシーバ１３は、制御装置１４の制御の下で選択された２以上の異なるコーデックプログラムの任意の１つに従って動作することができる。制御装置１４は、アンテナ１２による送信のための信号を発生する信号発生器１７と、アンテナによって受信された信号に応答する応答検出器１５と、アンテナ１２によって試験データを協働している移動ユニット１と交換し、それによって両者間のリンクの信号品質を確立するための品質測定ユニット１６とを制御する。制御装置１４はまた、メモリ１９からのプログラムデータを検索し、それをアンテナ１２によって移動ユニットに送信するように構成されているデータ送信手段１８を制御する。
　・・・（中略）・・・
　図４のフロー図を参照にしてこのシステムの動作が以下説明される。図４において、ネットワークによって実行されるステップは１０１乃至１１２で示され、移動電話によって実行されるステップは２０１乃至２１２で示され、移動電話とベースステーション制御システムとの間、あるいはその逆で行われる無線送信は３０１乃至３１２で示されている。
　ネットワークと移動電話との間で初期のコンタクトが設定されたとき、制御信号３０１の交換がネットワークと移動電話との間で（ステップ１０１、２０１のそれぞれにおいて）行われる。これは、管理（シグナリング）チャンネル上のチャンネル品質の測定を含む。実際には、これによって一般的に音声チャンネル上で得られる可能性のある信号の品質が良好に示される。初期の設定プロラム２０１は、不揮発性メモリ９中でブートアッププログラムＢＵを使用して移動電話中で実行される。移動電話１との協働に責任があるネットワーク素子（この例においてはベースステーション制御システム１０）は、優勢な状況（接続のタイプ、チャンネル品質等）に適したコーデックを選択し、選択されたプログラムが移動電話のメモリ７中で既に負荷されているかどうかを質問するために信号（３０９) を移動電話に送信する（１０９) 。移動電話１において、このコードはチャンネルコーデック２１によって抽出される。個々の各コーデックの識別コードは、フラグとしてメモリ８ａｉ、８ｂｉ中に記憶される。監視および制御ユニット６によって、任意のプログラムコードのフラグ８ａｉ、８ｂｉ等が提案されたコードに対応するかどうかを識別するためにメモリ7 がサーチされ、また、メモリ７中にコードがあるかないかに従ってシグナリング装置５が応答（３１０）を生成する（ステップ２１０）ようにする。応答が肯定（Ｙ）である場合、移動電話およびベースステーション制御システムは選択されたプログラムを使用して動作を開始する。
　応答が否定（Ｎ）である場合、ベースステーション制御システムは次に、移動ユニット１においてどのメモリ容量が使用可能かに関して問合わせ（３０５）を行い、移動電話中のシグナリング装置５は適切な応答３０６を生成する（ステップ２０６）。この情報に基づいて、ベースステーション１０はその後、この容量が選択されたプログラムに十分であるかどうかを決定し（ステップ１０８）、そうである場合、ネットワーク素子１０は要求されたコーデックプログラムを信号３１１として送信し（ステップ１１１）、それは移動電話１によって受信される（２１１）。」
　
　ニ．「　Among the codecs which could be introduced using the system described above, are multi-rate codecs capable of adapting to prevailing channel conditions. Such a codec is capable of switching readily between two or more modes. For example, in conditions of good channel quality a linear predictive coding process for analogue-to-digital conversion may be used by the speech codec 3 which operates at 5.6 kbit/s. The channel codec 21 adds an error correction algorithm, e.g. Viterbi coding, adding a further 3.4 kbit/s, allowing the signal to be carried on a 'half-rate' GSM channel (11.4 kbit/s). However, if channel quality deteriorates, a more complex error correction coding is used, requiring 14.8 kbit/s. This requires a 'full-rate' GSM channel (22.8 kbit/s). (In both cases 2.4 kbit/s control and synchronisation overhead makes up the balance of the channel capacity). 」(第１５頁第７行目〜同第１７行目）
（当審仮訳）
「　上述のシステムを使用して導入できるコーデック中には、複数のレートのコーデックがあり、広く行われているチャンネル状態に適合することができる。そのようなコーデックは、２以上のモードの間で容易に切換えることができる。例えば、良好なチャンネル品質の状態において、アナログ−デジタル変換のための線形予測可能なコード化プロセスは、５．６キロビット／秒で動作する音声コーデック３によって使用されてもよい。チャンネルコーデック２１は、例えばビタビコード化等のエラー補正アルゴリズムを加え、さらに３．４キロビット／秒を加え、信号が“１／２レート”のＧＳＭチャンネル（１１．４キロビット／秒）で実行されるようにする。しかしながら、チャンネル品質が悪化した場合、より複雑なエラー補正コード化が使用され、１４．８キロビット／秒が要求される。これによって、“フルレート”のＧＳＭチャンネル（２２．８キロビット／秒）が要求される。（両方の場合とも、２．４キロビット／秒の制御および同期オーバーヘッドは、チャンネルキャパシティの平衡をもたらす）。」
　
　上記引用例のイ．〜ニ．及び図面の記載（特に第１図、第４図）ならびにこの分野における技術常識を考慮すると、
　引用例には、上記引用例のイ．の記載を参照すると、移動電話の音声コーディングアルゴリズムのアップグレードプログラムをネットワークベース制御機構からネットワークを通じて、移動電話にダウンロードして、音声コーデックをアップグレードする移動電話システムについて記載がある。
　すなわち、引用例には、ネットワークにおいて用いられる移動電話の音声コーデックのアップグレードに係る操作方法が、記載されているといえる。
　
　上記引用例のロ．の記載を参照すると、移動電話１に関して「音声コーデック３は、メモリ７において記憶されたプログラムデータに従って動作する。プログラムデータは、信号コーディングおよびデコーディングアルゴリズムに基づいたデータを含んでおり、それはユーザインターフェース２から受信されたアナログ信号をデジタル的にコード化するために使用される。」と記載されており、ユーザインターフェース２から受信されたアナログ信号は、音声コーデック３でデジタル的にコード化されているので、該アナログ信号は、音声であり、かつデータとして扱われているものなので、「アナログ音声データ」である。また、プログラムデータにはデコーディングアルゴリズムに基づいたデータを含んでおり、音声コーデック３に、デコーディング（復号化）動作を行わせている。ここで、デコーディング（復号化）動作は、デジタルデータをアナログ音声に変換するものであり、コーディング動作の『逆を行う』動作であることは技術常識である。
　
　上記引用例のハ．には、「・・・移動電話とベースステーション制御システムとの間、あるいはその逆で行われる無線送信は３０１乃至３１２で示されている。ネットワークと移動電話との間で初期のコンタクトが設定されたとき制御信号３０１の交換がネットワークと移動電話との間で（ステップ１０１、２０１のそれぞれにおいて）行われる。」と記載されているから、引用例には、移動電話１とベースステーション制御システム１０との間の初期コンタクトを行うステップが記載されているといえる。
　
　上記引用例のロ．には、「移動電話１は、デフォルトプログラムが読取り専用メモリに記憶されるメモリを有しており、異なるトランザクションを実行することが必要な場合に別のプログラムが記憶できるように１以上の適切な代りのプログラムを電子消去可能なプログラム可能な読取り専用メモリ（ＥＥＰＲＯＭ）に記憶される。」と記載されている。ここで、「別のプログラム」は、今まで移動電話１の読取り専用メモリ上になかったコーデック（符号化）及びデコーディング（復号化）アルゴリズムに係るプログラムを指すのであるから、「新しい符号化および復号化アルゴリズム」であることは明らかである。また、上記ハ．には、コーデックプログラムを、移動電話１が受信すると記載されており、明らかに「受信するステップ」を有するので、引用例には、「ベースステーション制御システム１０から、少なくとも新しい１つ以上の符号化および復号化アルゴリズムを前記移動電話１によって受信するステップ」が記載されているといえる。
　また、引用例には、「前記受信した新しい符号化及び復号化アルゴリズムを前記移動電話用の読取り専用メモリ（ＥＥＰＲＯＭ）に記憶するステップが記載されているといえる。　
　
　上記引用例のニ．には、「上述のシステムを使用して導入できるコーデック中には、複数のレートのコーデックがあり、広く行われているチャンネル状態に適合することができる。そのようなコーデックは、２以上のモードの間で容易に切換えることができる。例えば、良好なチャンネル品質の状態において、アナログ−デジタル変換のための線形予測可能なコード化プロセスは、５．６キロビット／秒で動作する音声コーデック３によって使用されてもよい。・・・（中略）・・・しかしながら、チャンネル品質が悪化した場合、より複雑なエラー補正コード化が使用され、１４．８キロビット／秒が要求される。これによって、“フルレート”のＧＳＭチャンネル（２２．８キロビット／秒）が要求される。」との記載がある。
　このように、２以上のコーデックを選択して、切り換えて使用することが記載されており、また、上述のように、コーデックが音声データの変換に使用されるものであることは明らかであるので、引用例には、音声データの変換に使用されるように、選択されたアルゴリズムに基づいて前記得られる符号化および復号化アルゴリズムの間の切替えを行うステップが記載されているといえる。
　
　したがって、上記引用例には、以下の発明（以下、「引用発明」と言う。）が記載されている。
　　
（引用発明）
「アナログ音声データをデジタルデータに変換しそのまた逆を行うための少なくとも１つの存在する符号化および復号化アルゴリズムを含み、ネットワークに用いられる移動電話の操作方法であって、
　移動電話１とベースステーション制御システム１０との間の初期のコンタクトを行うステップと
　ベースステーション制御システム１０から、少なくとも新しい１つ以上の符号化および復号化アルゴリズムを前記移動電話１によって受信するステップと、
　前記受信した新しい符号化および復号化アルゴリズムを前記移動電話１の読取り専用メモリ（ＥＥＰＲＯＭ）７に記憶するステップと、
　音声データの変換に使用されるように、読取り専用メモリ（ＥＥＰＲＯＭ）７で得られる符号化および復号化アルゴリズムから選択されたアルゴリズムに基づいて前記得られる符号化および復号化アルゴリズム間の切換を行うステップを備えている方法。」
　
３．対比
　本願発明と引用発明とを対比すると、
　引用発明の「移動電話１」は、本願発明の「携帯電話」に相当する。
　引用発明の「ネットワーク」は、本願発明の「データ伝送ネットワーク」に相当し、引用発明の「操作方法」は、本願発明の「作動方法」に相当するから、引用発明の「ネットワークに用いられる移動電話の操作方法」は、本願発明の「データ伝送ネットワークによって処理される携帯電話の作動方法」に相当する。
　引用発明の「ベースステーション制御システム１０」は、移動電話に送信するネットワーク側の装置であって、本願発明の図１におけるネットワークコンピュータ８に対応していることから、本願発明の「データ伝送ネットワーク」に含まれていることは明らかである。
　引用発明の「初期のコンタクト」を行うことは、本願発明の「伝送リンクを確立する」ことに相当する。
　引用発明の「読取り専用メモリ（ＥＥＰＲＯＭ）７」は、電気（電圧）の操作によってデータの消去や書き換えが可能となっている半導体記憶装置であって、電源を供給しなくてもデータを保持することができる「不揮発性メモリ」であるし、移動電話１の中にあって、ネットワーク側からダウンロードしたコーデックアルゴリズムを保存する記憶装置である点で共通するので、本願発明の「不揮発性メモリ」に相当する。
　
　したがって、本願発明と引用発明は、以下の点で一致ないし相違する。
　
＜一致点＞
「アナログ音声データをディジタル・データに変換しそのまた逆を行うための少なくとも一つの存在する符号化および復号化アルゴリズムを含み、デー
タ伝送ネットワークによって処理される携帯電話の作動方法において、
　前記携帯電話と前記データ伝送ネットワークとの間のデータ伝送リンクを確立するステップと、
　前記データ伝送ネットワークから少なくとも新しい一つ以上の符号化および復号化アルゴリズムを前記携帯電話によって受信するステップと、
　前記受信した新しい符号化および復号化アルゴリズムを前記携帯電話の不揮発性メモリに記憶するステップと、
　音声データの変換に使用されるように、前記携帯電話の前記不揮発性メモリで得られる前記符号化および復号化アルゴリズム間の切換を行うステップと、
を備えている方法。」
　
＜相違点＞
「音声データの変換に使用されるように、前記携帯電話の前記不揮発性メモリで得られる前記符号化および復号化アルゴリズム間の切換」を行うにあたり、本願発明が、「前記携帯電話の前記不揮発性メモリで得られる前記符号化および復号化アルゴリズムを前記携帯電話の利用者に表示するステップ」、「前記得られる符号化および復号化アルゴリズムからの選択が前記利用者によって可能にするステップ」及び、「前記使用者によって選択された前記アルゴリズムに依存して前記得られる符号化および復号化アルゴリズム間の切換を行うステップ」から構成されているのに対して、引用発明では、「前記得られる前記符号化および復号化アルゴリズム間の切換を行うステップ」のみから構成されている点。
　
４．検討
　そこで、上記相違点について検討する。
　拒絶査定に周知例として引用された特開平１１−３３１９３６号公報（例えば、【００２１】、【００４４】〜【００６２】参照、符号化方式の選択については、特に【００５６】〜【００６１】の記載を参照。）には、利用者（使用者）の移動局の制御スイッチによる入力に応じて、音声の符号化方式が選択されていることが記載されており、すなわち音声の符号化方式を、利用者によって選択可能にし、それに基づいて、音声の符号化方式の切換を行うことが記載されている。
　また、他にも、特開昭５８−１６４３９６号公報（特に第２図参照。）には、発信側加入者が、音声コーデック選択ボタン７を操作することに応じて、音声コーデックが複数の音声コーデックの中から選択されており、すなわち、音声コーデックを、発信側加入者によって選択可能にし、それに基づいて、音声コーデックの切換を行うことが記載されている。
　このように、利用者によって符号化方式すなわち音声コーデック（符号化および復号化アルゴリズム）の選択を可能とし、それに基づいて、切換を行うことは周知の技術である。
　したがって、引用発明の移動電話１に、上記周知技術を適用して、読取り専用メモリ（ＥＥＰＲＯＭ）７に記憶された符号化および復号化アルゴリズムの選択を可能とし、それに基づいて、切換を行うように構成することに格別の困難性は認められない。
　さらに、ユーザの選択操作の際に、表示を行うことは、慣用手段にすぎない。すなわち、ユーザーに複数の選択候補の中からの選択操作を行わせる際に、選択に関わる選択に関わる選択候補に係る情報を表示させ操作者である利用者の助けとすることは、例えば、上述の特開昭５８−１６４３９６号公報（特に第２図参照。）に記載されており、音声コーデック選択ボタン７の上部に、ＣＯＤＥＣ選択表示ランプがあり、どの音声コーデック（すなわち「選択候補」）が選択されているかを表示しているし、下部には、ＰＣＭ、高品質、３２ＡＤＰＣＭ、１６ＡＰＣ、８ＰＡＲＣＯＲ等（符号化および復号化アルゴリズム）の表示がなされており、音声コーデック選択ボタン７が操作された場合にそれぞれのボタンを選択することによって、どのようなコーデックが選択され、動作するものであるかが、端末１の利用者に向けて表示されている。
　したがって、音声コーデック（符号化および復号化アルゴリズム）の選択、切換を利用者が行うように構成したときに、符号化および復号化アルゴリズムを表示する構成とすることは格別のことではない。
　したがって、引用発明において、携帯電話の不揮発性メモリで得られる符号化および復号化アルゴリズムを「携帯電話の利用者に表示」し、「前記得られる符号化および復号化アルゴリズムからの選択が前記利用者によって可能に」し、選択されたアルゴリズムに基づいて「前記得られる符号化および復号化アルゴリズムの間の切換」を行って、本願発明のように構成することは当業者にとって容易に想到し得ることである。
　
５．むすび
　以上のとおり、本願発明は、上記引用例に記載された発明、前記周知技術及び前記慣用手段に基づいて、当業者が容易に発明をすることができたものと認められるから、特許法第２９条第２項の規定により特許を受けることができない。
　
　よって、結論のとおり審決する。